(57)【要約】【課題】端末ピンを確実に高圧端子に接触させることのできる内燃機関用点火コイルを提供すること。【解決手段】コイルボビンに巻回された一次コイル及び二次コイルと、これら二つのコイルを磁気的に結合させる鉄心と、これらを収容する絶縁ケースとを備え、前記絶縁ケース内に充填された絶縁性合成樹脂によって固定保持する内燃機関用点火コイルにおいて、前記二次コイルに接続された端末ピンを高圧端子に圧接する際に、前記二次コイルの巻回された二次コイルボビンの鍔部を延設して端末ピン保持部を形成し、該端末ピン保持部で前記端末ピンを高圧端子に押し付けるので、端末ピンを確実に高圧端子に接触することができる。【選択図】図１
2008135494.tif 000002
【特許請求の範囲】
【請求項１】
コイルボビンに巻回された一次コイル及び二次コイルと、これら二つのコイルを磁気的に結合させる鉄心と、これらを収容する絶縁ケースとを備え、前記絶縁ケース内に充填された絶縁性合成樹脂によって固定保持する内燃機関用点火コイルにおいて、
前記二次コイルに接続された端末ピンを高圧端子に圧接する際に、前記二次コイルの巻回された二次コイルボビンの鍔部を延設して端末ピン保持部を形成し、該端末ピン保持部で前記端末ピンを高圧端子に押し付けることにより電気的接続を確保することを特徴とする内燃機関用点火コイル。
【請求項２】
前記端末ピン保持部は、二次コイルボビンの一部が略三角形状に延設され、かつその頂部に端末ピンを保持するための凹部を有することを特徴とする請求項１に記載の内燃機関用点火コイル。
【請求項３】
前記端末ピン保持部は、前記端末ピンと接触する凹部に端末ピンの長手方向に対して直角方向の複数の溝を有することを特徴とする請求項１または２に記載の内燃機関用点火コイル。
【請求項４】
前記端末ピン保持部は、前記端末ピンのほぼ中央に当接するように配設されたことを特徴とする請求項１〜３のいずれか１に記載の内燃機関用点火コイル。
【発明の詳細な説明】
【技術分野】
【０００１】
本発明は、例えば自動車等のエンジンの点火プラグに火花放電を発生させるための内燃機関用点火コイルに関する。
【背景技術】
【０００２】
図６は、従来の内燃機関用点火コイルにおける高圧端子と端末ピンとの関係を示す縦断面図、図７は、図６の要部拡大断面図である。ここで、内燃機関用点火コイルは、一次コイルボビン１及び、二次コイルボビン２にそれぞれ巻回された一次コイル３、二次コイル４と、これらを磁気的に結合する積層鉄心５と、これらを収容する絶縁ケース６等から成り、絶縁ケース６内に充填される絶縁樹脂によって収容された、一次コイル３、二次コイル４、積層鉄心５等が固定されている。また、二次コイル４に接続された端末ピン７は、高圧端子８に自身の弾性によって圧接されている。
【特許文献１】特開２００５−２４４０１１号公報
【発明の開示】
【発明が解決しようとする課題】
【０００３】
しかし、このような構成の従来の内燃機関用点火コイルにおいて、点火コイルの稼働時に内部温度が上昇し、絶縁ケース内に充填された絶縁樹脂に熱応力が発生する。この熱応力が端末ピンと高圧端子の接続部において、端末ピン自体の弾性により保持されていた接触を断ち切る方向に作用した場合に、導通不良が発生することがあった。
【０００４】
この発明は、上記に鑑み提案されたもので、二次コイルボビンの鍔部を延設して端末ピン保持部を形成し、この端末ピン保持部で端末ピンを高圧端子に強制的に押し付けることにより電気的接続を確保できる内燃機関用点火コイルを提供することを目的とするものである。
【課題を解決するための手段】
【０００５】
上記目的を達成する為に、本発明の内燃機関用点火コイルは、コイルボビンに巻回された一次コイル及び二次コイルと、これら二つのコイルを磁気的に結合させる鉄心と、これらを収容する絶縁ケースとを備え、前記絶縁ケース内に充填された絶縁性合成樹脂によって固定保持する内燃機関用点火コイルにおいて、前記二次コイルに接続された端末ピンを高圧端子に圧接する際に、前記二次コイルの巻回された二次コイルボビンの鍔部を延設して端末ピン保持部を形成し、該端末ピン保持部で前記端末ピンを高圧端子に押し付けることにより電気的接続を確保することを特徴としている。
【０００６】
また、本発明において、前記端末ピン保持部は、二次コイルボビンの一部が略三角形状に延設され、かつその頂部に端末ピンを保持するための凹部を有することを特徴とする。
【０００７】
また、本発明において、前記端末ピン保持部は、前記端末ピンと接触する凹部に端末ピンの長手方向に対して直角方向の複数の溝を有することを特徴とする。
【０００８】
また、本発明において、前記端末ピン保持部は、前記端末ピンのほぼ中央に当接するように配設されたことを特徴とする。
【発明の効果】
【０００９】
この発明は上記した構成からなるので、以下に説明するような効果を奏することができる。
【００１０】
本発明では、コイルボビンに巻回された一次コイル及び二次コイルと、これら二つのコイルを磁気的に結合させる鉄心と、これらを収容する絶縁ケースとを備え、前記絶縁ケース内に充填された絶縁性合成樹脂によって固定保持する内燃機関用点火コイルにおいて、前記二次コイルに接続された端末ピンを高圧端子に圧接する際に、前記二次コイルの巻回された二次コイルボビンの鍔部を延設して端末ピン保持部を形成し、該端末ピン保持部で前記端末ピンを高圧端子に押し付けるので、端末ピン保持部によって端末ピンを確実に高圧端子に接触させることができる。したがって、点火コイルの稼働時に発生する熱応力で導通不良等を未然に防止することができる。
【００１１】
また、本発明において前記端末ピン保持部は、二次コイルボビンの一部が略三角形状に延設され、かつその頂部に端末ピンを保持するための凹部を有するので、端末ピン保持部が断面が円形の端末ピンを確実に押さえて、高圧端子に接触させることができる。
【００１２】
また、本発明において前記端末ピン保持部は、前記端末ピンと接触する凹部に端末ピンの長手方向に対して直角方向の複数の溝を有するので、端末ピン保持部が断面が円形の端末ピンを滑ることなく確実に押さえて、端末ピンを確実に高圧端子に接触させることができる。
【００１３】
また、本発明において前記端末ピン保持部は、前記端末ピンのほぼ中央に当接するように配設されたので、端末ピンの弾性を有効に利用して、端末ピン保持部で確実に高圧端子に接触させることができる。
【発明を実施するための最良の形態】
【００１４】
内燃機関用点火コイルにおいて、二次コイルの巻回されたボビンの鍔部を延設して端末ピン保持部を形成し、端末ピンを高圧端子に押し付けるので、端末ピンを確実に接触させて電気的導通を達成することができる。
【実施例】
【００１５】
以下、一実施の形態を示す図面に基づいて本発明を詳細に説明する。図１は本発明に係る内燃機関用点火コイルにおける高圧端子と端末ピンとの関係を示す縦断面図、図２は本発明の内燃機関用点火コイルの要部拡大断面図、図３は本発明の内燃機関用点火コイルの要部平面図である。ここで、内燃機関用点火コイル１０は、一次コイルボビン１１に巻回された一次コイル１２及び二次コイルボビン１３に巻回された二次コイル１４と、これら二つのコイルを磁気的に結合させる鉄心１５と、これらを収容する絶縁ケース１６とを備え、前記絶縁ケース１６内に充填された絶縁性合成樹脂によって固定保持するものであって、前記二次コイル１４に接続された端末ピン１７を高圧端子１８に圧接する際に、前記二次コイル１４の巻回された二次コイルボビン１３の鍔部を延設して端末ピン保持部１９を形成し、前記端末ピン１７を高圧端子１８に押し付けることにより電気的接続を確保することができる。
【００１６】
二次コイルボビン１３は、二次コイルを分巻きするために複数の鍔部１３ａを有しており、その鍔部１３ａの一つを延設して端末ピン保持部１９を形成する。図２〜図４に示すように端末ピン保持部１９は、二次コイルボビン１３の一端に取り付けられた端末ピン１７のほぼ中央に位置する鍔部を延設して形成する。また、端末ピン保持部１９は、鍔部１３ａの一部が略三角形状に延設され、かつその頂部に端末ピンを保持するための凹部１９ａが形成されている。凹部１９ａは、端末ピン１７の線径より大きく形成されている。
【００１７】
以上のように構成された内燃機関用点火コイル１０の組立手順について説明する。先ず、絶縁ケース１６の漏斗形下部１６ａに高圧端子１８を配設した後、一次コイル１２、二次コイル１４、鉄心部１５等から成る組立体を絶縁ケース１６内に収納する。この際に、組立体の下端側に取り付けられた端末ピン１７の先端が高圧端子１８と接触するようにする。また、端末ピン１７は、弾性を有すると共に鍔部１３ａから延設された端末ピン保持部１９によって、ほぼ中間を押圧される。このように、端末ピン１７が自らの弾性だけでなく、端末ピン保持部１９によっても押圧されるので、熱応力が発生しても、端末ピン１７と高圧端子１８との導通が途切れる虞れがない。
【００１８】
図５は本発明の内燃機関用点火コイルの別の実施例を示す要部拡大平面図である。本実施例において、端末ピン保持部１９の先端に形成された凹部１９ａには、当接する端末ピン１７の長手方向に対して直角方向の複数の溝２０が形成されている。また、凹部１９ａは、端末ピン保持部１９に対して斜めに形成されており、当接する端末ピン１７の軸線方向に略平行に形成されている。
【００１９】
以上のように構成した場合、端末ピン保持部１９の凹部に複数の溝２０を有するので、端末ピン１７が滑り難く、より確実に高圧端子１８との導通を確保することができる。凹部に複数の溝２０を形成することにより、端末ピン１７と端末ピン保持部１９とを一層確実に保持することができる。
【図面の簡単な説明】
【００２０】
【図１】図１は、本発明に係る内燃機関用点火コイルにおける高圧端子と端末ピンとの関係を示す縦断面図である。
【図２】図２は、同内燃機関用点火コイルの要部拡大断面図である。
【図３】図３は、同内燃機関用点火コイルの要部平面図である。
【図４】図４は、同内燃機関用点火コイルの要部拡大平面図である。
【図５】図５は、同内燃機関用点火コイルの別の実施例を示す要部拡大平面図である。
【図６】図６は、従来の内燃機関用点火コイルにおける高圧端子と端末ピンとの関係を示す縦断面図である。
【図７】図７は、図６の要部拡大断面図である。
【符号の説明】
【００２１】
１      一次コイルボビン
２      二次コイルボビン
３      一次コイル
４      二次コイル
５      積層鉄心
６      絶縁ケース
１０    内燃機関用点火コイル
１１    一次コイルボビン
１２    一次コイル
１３    二次コイルボビン
１３ａ  鍔部
１４    二次コイル
１５    鉄心
１６    絶縁ケース
１７    端末ピン
１８    高圧端子
１９    端末ピン保持部
１９ａ  凹部
２０    溝
【図１】
2008135494.tif 000003
【図２】
2008135494.tif 000004
【図３】
2008135494.tif 000005
【図４】
2008135494.tif 000006
【図５】
2008135494.tif 000007
【図６】
2008135494.tif 000008
【図７】
2008135494.tif 000009